(57)【要約】【課題】洗濯乾燥機のランニングコストを削減できるとともに利便性を向上する。【解決手段】送風ファン５２の駆動により循環ダクト５０を介して回転槽３０の空気を循環させて洗濯物を乾燥させる乾燥運転を行う洗濯乾燥機１において、加熱部５３による昇温及び除湿部５４による除湿を停止するとともに送風ファン５２を減速する乾燥状態検知期間を設け、乾燥状態検知期間において温湿度検知部７６の検知湿度が低下した時に乾燥運転を終了する。【選択図】図２
2013212307.tif 000002
【特許請求の範囲】
【請求項１】
洗濯物が投入される回転槽と、送風ファンを内装して前記回転槽内の空気を循環する循環ダクトと、前記循環ダクト内に配して前記循環ダクト内を流通する空気を昇温する加熱部と、前記循環ダクト内の前記加熱部の上流に配して前記循環ダクト内を流通する空気を冷却して除湿する除湿部と、前記循環ダクト内の絶対湿度を検知する温湿度検知部とを備え、前記送風ファン、前記加熱部及び前記除湿部の運転により前記回転槽の空気を循環させて洗濯物を乾燥させる乾燥運転を行う洗濯乾燥機において、前記加熱部及び前記除湿部を停止するとともに前記送風ファンを減速する乾燥状態検知期間を設け、前記乾燥状態検知期間において前記温湿度検知部の検知する絶対湿度の変化量に基づいて洗濯物の乾燥状態を判断することを特徴とする洗濯乾燥機。
【請求項２】
前記乾燥状態検知期間において前記送風ファンを停止することを特徴とする請求項１に記載の洗濯乾燥機。
【請求項３】
前記乾燥状態検知期間において前記回転槽を回転させることを特徴とする請求項１又は請求項２に記載の洗濯乾燥機。
【請求項４】
前記乾燥状態検知期間において前記回転槽の回転を停止させることを特徴とする請求項１又は請求項２に記載の洗濯乾燥機。
【請求項５】
前記除湿部が水冷により除湿を行うことを特徴とする請求項１〜請求項４のいずれかに記載の洗濯乾燥機。
【請求項６】
前記除湿部の上流側及び下流側を開閉するシャッタを設け、前記乾燥状態検知期間において前記シャッタが閉じられることを特徴とする請求項１〜請求項５のいずれかに記載の洗濯乾燥機。
【請求項７】
前記除湿部の上流側と前記加熱部の下流側とをバイパスするバイパス通路を前記循環ダクトに設け、前記乾燥状態検知期間で前記バイパス通路の下流端と前記加熱部との間及び前記バイパス通路の上流端と前記除湿部との間を閉じたことを特徴とする請求項１〜請求項５のいずれかに記載の洗濯乾燥機。
【発明の詳細な説明】
【技術分野】
【０００１】
本発明は洗濯物の洗濯及び乾燥を行う洗濯乾燥機に関する。
【背景技術】
【０００２】
従来の洗濯乾燥機は特許文献１に開示される。この洗濯乾燥機は有底筒状の水槽内に洗濯物が投入される回転槽が同軸に配される。回転槽の周面には連通口が設けられ、水槽には送風ファンを内装する循環ダクトが連結される。送風ファンの駆動によって回転槽内の空気が循環ダクトを介して循環する。
【０００３】
循環ダクト内には加熱部及び除湿部が設けられる。加熱部は循環ダクトを流通する空気を昇温する。除湿部は加熱部の上流に配され、循環ダクトを流通する空気を冷却して除湿する。
【０００４】
上記構成の洗濯乾燥機において、回転槽内に給水して洗濯物の洗いやすすぎが行われ、回転槽を高速回転して脱水が行われる。また、送風ファン、加熱部及び除湿部を駆動するとともに回転槽を回転して脱水後の洗濯物の乾燥運転が行われる。乾燥運転を開始して所定時間が経過すると乾燥運転が終了する。
【先行技術文献】
【特許文献】
【０００５】
【特許文献１】特開２００１−２９３２７９号公報
【発明の概要】
【発明が解決しようとする課題】
【０００６】
しかしながら、上記従来の洗濯乾燥機によると、洗濯物の量や質によって乾燥時間が異なるため、洗濯物の過乾燥や未乾燥が生じる場合がある。これにより、洗濯物が過乾燥の場合は加熱部の消費電力が大きいため洗濯乾燥機のランニングコストが増加する問題があった。加えて、洗濯物の皺が多くなるため洗濯乾燥機の利便性が低下する問題があった。また、洗濯物が未乾燥の場合は乾燥運転を再度行う必要があり、洗濯乾燥機の利便性が悪くなる問題もあった。
【０００７】
本発明は洗濯物の乾燥状態を正確に検出してランニングコストを削減できるとともに利便性を向上できる洗濯乾燥機を提供することを目的とする。
【課題を解決するための手段】
【０００８】
上記目的を達成するために本発明は、洗濯物が投入される回転槽と、送風ファンを内装して前記回転槽内の空気を循環する循環ダクトと、前記循環ダクト内に配して前記循環ダクト内を流通する空気を昇温する加熱部と、前記循環ダクト内の前記加熱部の上流に配して前記循環ダクト内を流通する空気を冷却して除湿する除湿部と、前記循環ダクト内の絶対湿度を検知する温湿度検知部とを備え、前記送風ファン、前記加熱部及び前記除湿部の運転により前記回転槽の空気を循環させて洗濯物を乾燥させる乾燥運転を行う洗濯乾燥機において、前記加熱部及び前記除湿部を停止するとともに前記送風ファンを減速する乾燥状態検知期間を設け、前記乾燥状態検知期間において前記温湿度検知部の検知する絶対湿度の変化量に基づいて洗濯物の乾燥状態を判断することを特徴としている。
【０００９】
この構成によると、送風ファン、加熱部及び除湿部の運転により回転槽の空気を循環させて洗濯物の乾燥運転を行う。また、乾燥運転を所定時間運転した後に乾燥状態検知期間が設けられる。乾燥状態検知期間では加熱部による昇温及び除湿部による除湿を停止するとともに送風ファンを減速して循環ダクト内の絶対湿度を検知する。このとき、洗濯物が十分に乾燥している場合、循環ダクト内の水蒸気を洗濯物が吸収して循環ダクト内の絶対湿度が一時的に低下する。これにより、乾燥状態検知期間において絶対湿度の低下が検知されると、洗濯物が十分に乾燥していると判断して乾燥運転を終了する。また、洗濯物が未乾燥の場合、洗濯物に含まれる水分が蒸発して循環ダクト内の絶対湿度が一時的に上昇する。これにより、乾燥状態検知期間において絶対湿度の上昇が検知されると、洗濯物は未乾燥状態にあると判断して乾燥運転を再開する。
【００１０】
また、本発明の洗濯乾燥機は、上記構成において、前記乾燥状態検知期間において前記送風ファンを停止することを特徴としている。
【００１１】
また、本発明の洗濯乾燥機は、上記構成において、前記乾燥状態検知期間において前記回転槽を回転させることを特徴としている。この構成によると、回転槽の回転によって回転槽内の空気が旋回して循環ダクト内の空気が循環する。
【００１２】
また、本発明の洗濯乾燥機は、上記構成において、記乾燥状態検知期間において前記回転槽の回転を停止させることを特徴としている。
【００１３】
また、本発明の洗濯乾燥機は、上記構成において、前記除湿部が水冷により除湿を行うことを特徴としている。
【００１４】
また、本発明の洗濯乾燥機は、上記構成において、前記除湿部の上流側及び下流側を開閉するシャッタを設け、前記乾燥状態検知期間において前記シャッタが閉じられることを特徴とする。この構成によると、乾燥状態検知期間において回転槽内から循環ダクト内に流通する空気が除湿部から遮断される。
【００１５】
また、本発明の洗濯乾燥機は、上記構成において、前記除湿部の上流側と前記加熱部の下流側とをバイパスするバイパス通路を前記循環ダクトに設け、前記乾燥状態検知期間で前記バイパス通路の下流端と前記加熱部との間及び前記バイパス通路の上流端と前記除湿部との間を閉じたことを特徴としている。この構成によると、乾燥状態検知期間において回転槽内から循環ダクト内に流通する空気が除湿部から遮断される。
【発明の効果】
【００１６】
本発明によると、加熱部及び除湿部を停止して送風ファンを減速した乾燥状態検知期間で温湿度検知部が検知する絶対湿度が低下した際に乾燥運転を終了するので、洗濯物の乾燥状態を正確に検出して未乾燥や過乾燥を防止することができる。従って、洗濯乾燥機のランニングコストを削減できるとともに利便性を向上することができる。また、経年劣化等で温湿度検知部の検知精度が低下して温湿度検知部が検知する絶対湿度の値に誤差が発生することがあるが、温湿度検知部により検知された絶対湿度の相対的な変化量は温湿度検知部の検知精度の低下による影響を受け難く、誤差が少ない。このため、温湿度検知部の検知する絶対湿度の変化量に基づいて洗濯物の乾燥状態を判断することにより、乾燥状態の検出精度の低下を抑えることができる。
【図面の簡単な説明】
【００１７】
【図１】本発明の第１実施形態に係る洗濯乾燥機を示す側面断面図
【図２】本発明の第１実施形態に係る洗濯乾燥機を模式的に示す側面断面図
【図３】本発明の第１実施形態に係る洗濯乾燥機の構成を示すブロック図
【図４】本発明の第２実施形態に係る洗濯乾燥機を模式的に示す側面断面図
【図５】本発明の第３実施形態に係る洗濯乾燥機を模式的に示す側面断面図
【発明を実施するための形態】
【００１８】
以下本発明をその実施の形態を示す図面に基づいて詳述する。図１は、本発明の実施形態に係る洗濯乾燥機１の側面断面図である。なお、図１に示した洗濯乾燥機１は、左側が前面、右側が背面である。
【００１９】
洗濯乾燥機１は全自動型であり、外箱１０を備え、外箱１０の上部前面側には洗濯乾燥機１の操作を行う操作部７１が設けられている。また、外箱１０の上面は上面パネル１１に覆われ、外箱１０の前面は前方を凸状に湾曲している。外箱１０の前面の略中央から上方には、斜め上側に開口する円形状の出入口１１ａが形成されている。出入口１１ａはヒンジ（不図示）で回動可能に取り付けられた外扉１５ａによって開閉される。外扉１５ａの内側には内扉１５ｂが取り付けられ、内扉１５ｂは外扉１５ａの開閉に連動して開閉する。
【００２０】
外箱１０内には、洗濯槽を兼ねる回転槽３０と、回転槽３０を収容する水槽２０が収容されている。回転槽３０には洗剤を溶かした水またはすすぎ用の水（以下これらを総称して「洗濯水」という）を溜める。水槽２０及び回転槽３０はともに上面が開口した有底筒状のカップの形状を呈しており、各々軸線を垂直にして水槽２０を外側、回転槽３０を内側とする形で同心的に配置される。水槽２０及び回転槽３０はともには中心軸が水平方向に対して５°〜３０°の角度を成すように傾斜している。
【００２１】
また、水槽２０は上部が支持バネ３１で吊り下げられ、下部がサスペンション部材３２などにより弾性的に支持されている。これにより、水槽２０が水平部内で揺動できるように支持される。水槽２０の開口部周縁にはパッキン（不図示）が設けられている。これにより、内扉１５ｂを閉じたとき、内扉１５ｂがパッキンに密着して水槽２０内の液体が外部へ漏れ出るのを防ぐことができる。
【００２２】
回転槽３０の周壁には複数個の脱水孔（不図示）が設けられている。脱水孔は水槽２０と回転槽３０との間の空間と回転槽３０内の空間との間で洗濯水又は乾燥空気等を流通させる。
【００２３】
回転槽３０は軸部３４により水槽２０内で回転可能に支持されている。軸部３４は後端にモータ４１が連結されており、回転槽３０に回転駆動力を伝達する。モータ４１は洗濯乾燥機１内の上部に配置されている後述する制御部７０（図３参照）により回転が制御される。
【００２４】
水槽２０の下部には水槽２０及び回転槽３０内の洗濯水を排水する排水孔（不図示）が設けられている。排水孔には外箱１０の外部に延びる排水ホース（不図示）が接続される。また、排水孔には後述する排水弁６３（図３参照）が設けられる。排水弁６３を開くと排水ホースを介して水槽２０内の水が排水される。
【００２５】
図２は洗濯乾燥機１を循環する空気の流れを模式的に示す断面図である。洗濯乾燥機１の背面には回転槽３０内の空気を循環させる循環ダクト５０が設置されている。循環ダクト５０の一端は水槽２０の周面に開口して吸気口５０ａを形成する。また、循環ダクト５０の他端は水槽２０の底面に開口して排気口５０ｂを形成する。吸気口５０ａには吸気口５０ａを開閉する吸気口開閉部材６１（図３参照）が設けられ、排気口５０ｂには排気口５０ｂを開閉する排気口開閉部材６２（図３参照）が設けられる。吸気口開閉部材６１及び排気口開閉部材６２は後述する乾燥工程において開き、回転槽３０内の空気が循環ダクト５０を流通する。
【００２６】
また、循環ダクト５０内には送風ファン５２が内装される。送風ファン５２の駆動により、洗濯物８０から蒸発した水分を含む空気は回転槽３０から水槽２０に流通して吸気口５０ａを介して循環ダクト５０に流入する。循環ダクト５０に流入した空気は排気口５０ｂから水槽２０に送出される。これにより、水槽２０及び回転槽３０内の空気が循環する。また、循環ダクト５０内には送風ファン５２の上流側にはヒートポンプ９０が配される。ヒートポンプ９０は加熱部５３と除湿部５４を有し、加熱部５３の上流側に除湿部５４が配される。加熱部５３は循環ダクト５０内を流通する空気を昇温する。除湿部５４は循環ダクト５０内を流通する空気を冷却により除湿する。
【００２７】
加熱部５３及び除湿部５４はそれぞれ圧縮機５５により運転される冷凍サイクル５７の凝縮器及び蒸発器により構成される。圧縮機５５により圧縮された高温高圧の冷媒は加熱部５３で放熱しながら凝縮する。これにより、循環ダクト５０を流通する空気が加熱部５３との熱交換により昇温される。
【００２８】
高温の冷媒は膨張器５６で膨張して低温低圧となり、除湿部５４に送られる。除湿部５４に流入する冷媒は吸熱しながら蒸発して低温のガス冷媒となり、圧縮機５５に送られる。これにより、循環ダクト５０を流通する空気が除湿部５４との熱交換により冷却される。
【００２９】
なお、本実施形態はヒートポンプ９０によりヒートポンプ方式による除湿を行っているが、加熱部５３にヒータを用い、除湿部５４に冷却プレートによる冷却手段を用いて加熱及び除湿を行ってもよい。水冷手段による除湿は回転槽３０から循環ダクト５０に流入した空気を冷却プレートにより除湿する。具体的には、除湿部５４を市水に接続して洗濯物の乾燥時に開いて循環ダクト５０を循環する空気を貯水した冷却プレート上に流通させて水冷して除湿する。
【００３０】
また、循環ダクト５０内には除湿部５４の上流側に温湿度検知部７６が配され、送風ファン５２の下流側に温度検知部７５が配される。このとき、温湿度検知部７６は除湿部５４より水槽２０に近い位置にある。また、循環ダクト５０内において上流側とは送風ファン５２により起風された空気が流れる方向に対して上流側を意味する。温度検知部７５は温度センサにより構成される。温湿度検知部７６は温度センサと湿度センサにより構成され、検知される温度と相対湿度から絶対温度を算出する。なお、温湿度検知部７６に絶対湿度を検知する絶対湿度センサを用いてもよい。なお、循環ダクト５０内において送風ファン５２の下流側に絶対湿度を検知可能な温湿度検知部を設けてもよい。これにより、送風ファン５２の停止時において排気口５０ｂから回転槽３０内を旋回する空気が循環ダクト５０内に流入した場合でも除湿部５４より水槽２０に近い位置で回転槽３０内の絶対湿度を検知することができる。
【００３１】
図３は洗濯乾燥機１の構成を示すブロック図である。洗濯乾燥機１には各部を制御する制御部７０が設けられる。制御部７０は制御基板（不図示）を有し、外箱１０の背面上部に配される。制御部７０にはモータ４１、送風ファン５２、加熱部５３、除湿部５４、吸気口開閉部材６１、排気口開閉部材６２、排水弁６３、洗濯用給水弁７７、操作部７１、扉開閉センサ７３、水位センサ７４、温度検知部７５、温湿度検知部７６及び布量検知部７８が接続される。
【００３２】
扉開閉センサ７３は外扉１５ａの開閉状態を検知する。水位センサ７４は回転槽３０の水位を検知する。温度検知部７５は回転槽３０の内部の温度を検知する。温湿度検知部７６は循環ダクト５０内の絶対湿度を検知する。布量検知部７８は回転槽３０に投入された洗濯物の量を検知する。具体的には、洗濯の開始時に回転槽３０を回転させ、このときのモータ４１の負荷を検出して洗濯物の量を検知する。洗濯用給水弁７７は市水に接続され、洗濯物の洗濯時に開いて水槽２０内に給水を行う。
【００３３】
上記構成の洗濯乾燥機１において、出入口１１ａから回転槽３０に洗濯物８０及び洗剤が投入され、外扉１５ａが閉じられる。操作部７１により洗濯条件を選択して洗濯の開始を指示されると扉開閉センサ７３により外扉１５ａが閉じたことを検知して洗濯工程及び乾燥工程が実行される。
【００３４】
洗濯工程では洗濯物投入後、布量検知部７８で回転槽３０内の洗濯物８０の量を検知する。次に、排水弁６３を閉じて洗濯用給水弁７７が開かれ、回転槽３０に給水する。回転槽３０に所定量の水が溜まると水位センサ７４の検知によって洗濯用給水弁７７が閉じられる。次に、モータ４１を駆動する。これにより、回転槽３０が回転し、回転槽３０の中の水を攪拌して洗い動作が行われる。
【００３５】
洗い動作を開始して所定時間が経過すると排水弁６３を開いて回転槽３０内の水が排水され、モータ４１の駆動によって回転槽３０が高速回転して脱水動作が行われる。回転槽３０の高速回転によって洗濯物８０から飛散した水は脱水孔（不図示）から流出する。
【００３６】
脱水動作を開始して所定時間が経過するとモータ４１が停止され、排水弁６３を閉じて洗濯用給水弁７７が開かれる。回転槽３０に所定量の水が溜まると水位センサ７４の検知によって洗濯用給水弁７７が閉じられ、モータ４１を駆動する。これにより、回転槽３０が回転し、回転槽３０の中の水を攪拌してすすぎ動作が行われる。
【００３７】
すすぎ動作を開始して所定時間が経過すると上記の脱水動作が再度行われる。そして、脱水動作を所定時間行われると、洗濯工程が終了する。
【００３８】
次に、乾燥工程が行われる。乾燥工程は吸気口開閉部材６１及び排気口開閉部材６２を開いた状態で送風ファン５２、加熱部５３及び除湿部５４を駆動するとともにモータ４１を駆動する。これにより、回転槽３０から循環ダクト５０に流入した空気が昇温され、再び回転槽３０内に送り出される。このとき、昇温した空気により洗濯物８０が温まり、洗濯物に含まれる水分が蒸発する。水蒸気を含む空気は循環ダクト５０を流通し、除湿部５４で除湿される。除湿により凝縮した水滴は除湿部５４の下方に配した貯水部（不図示）で回収して排水される。また、モータ４１は正回転及び逆回転を繰り返す。これにより、回転槽３０の中の洗濯物がほぐされて乾燥が促される。
【００３９】
次に、乾燥運転が所定時間実行されると、乾燥状態検知期間が開始される。乾燥状態検知期間ではモータ４１、加熱部５３及び除湿部５４を停止するとともに送風ファン５２を減速し、温湿度検知部７６が循環ダクト５０内の絶対湿度を検知する。送風ファン５２を減速（停止を含む）して駆動するので、循環ダクト５０を流通する空気の流量が減少する。このため、除湿部５４の結露水を回収する貯水部（不図示）上を流通して水分を含んで温湿度検知部７６に到達する空気量を低減することができる。従って、温湿度検知部７６によってより正確に絶対湿度の変化を検知することができる。
【００４０】
なお、乾燥状態検知期間で送風ファン５２を停止させると循環ダクト５０内の空気の拡散によって温湿度検知部７６で絶対湿度の変化が検知される。このため、乾燥状態検知期間を長く設ける必要があるが、水分を含む空気の温湿度検知部７６への到達が更に低減されるためより正確に絶対湿度の変化を検知することができる。
【００４１】
なお、乾燥状態検知期間において回転槽３０を回転させてもよい。回転槽３０の回転により、回転槽３０内の空気が旋回して回転槽３０内の空気を循環ダクト５０内に流通させることができる。なお、循環ダクト５０の吸気口５０ａは回転槽３０の周面側に開口しており、排気口５０ｂは回転槽３０の底面側に開口している。このため、回転槽３０内を旋回する空気が遠心力によって吸気口５０ａから循環ダクト５０に流入しやすくなる。なお、回転槽３０の回転速度は洗濯工程における通常のタンブリング速度と同一又は低速により行う。これにより、水分を含む空気の温湿度検知部７６への到達を低減して正確に絶対湿度の変化を検知することができる。また、送風ファン５２及び回転槽３０の回転を停止することにより、水分を含む空気の温湿度検知部７６への到達をさらに低減して正確に絶対湿度の変化を検知することができる。
【００４２】
乾燥運転により洗濯物８０が十分に乾燥している場合、乾燥状態検知期間において循環ダクト５０内の水蒸気を洗濯物８０が吸収して循環ダクト５０内の絶対湿度が一時的に低下する。このため、乾燥状態検知期間において温湿度検知部７６が絶対湿度の低下を検知したとき、洗濯物８０が十分に乾燥していると判断して乾燥運転を終了する。また、洗濯物８０が未乾燥の場合、乾燥状態検知期間において洗濯物に含まれる水分が蒸発して循環ダクト内の絶対湿度が一時的に上昇する。このため、乾燥状態検知期間において温湿度検知部７６が絶対湿度の上昇を検知したとき、洗濯物は未乾燥状態にあると判断して乾燥運転を再開する。また、洗濯物が十分に乾燥するまで乾燥運転と乾燥状態検知期間が繰り返される。
【００４３】
本実施形態によると、加熱部５３及び除湿部５４を停止して送風ファン５２を減速した乾燥状態検知期間で温湿度検知部７６の検知湿度が低下した際に乾燥運転を終了するので、洗濯物の乾燥状態を正確に検出して未乾燥や過乾燥を防止することができる。従って、洗濯乾燥機１のランニングコストを削減できるとともに利便性を向上することができる。また、経年劣化等で温湿度検知部７６の検知精度が低下して温湿度検知部７６が検知する絶対湿度の値に誤差が発生することがあるが、温湿度検知部７６により検知された絶対湿度の相対的な変化量は温湿度検知部７６の検知精度の低下による影響を受け難く、誤差が少ない。このため、温湿度検知部７６の検知する絶対湿度の変化量に基づいて洗濯物の乾燥状態を判断することにより、乾燥状態の検出精度の低下を抑えることができる。
【００４４】
また、除湿部５４が水冷により除湿を行う場合、循環ダクト５０を流通する空気が水冷のための水と接触しやすくなる。このため、より大きい効果を奏する。
【００４５】
また、乾燥状態検知期間において送風ファン５２を停止することにより、循環ダクト５０内の空気の拡散によって温湿度検知部７６で絶対湿度の変化が検知される。このため、乾燥状態検知期間を長くする必要があるが、水分を含む空気の温湿度検知部７６への到達が更に低減される。このため、より正確に絶対湿度の変化を検知することができる。なお、送風ファン５２を停止した場合でも回転槽３０の回転により、回転槽３０内の空気が旋回して回転槽３０内の空気を循環ダクト５０内に流通させることができる。なお、回転槽３０の回転を低減又は停止することにより、送風ファン５２を停止する場合と同様に乾燥状態検知期間を長くする必要があるが、より正確に絶対湿度の変化を検知することができる。
【００４６】
［第２実施形態］
図４は第２実施形態に係る洗濯乾燥機１を循環する空気の流れを模式的に示す断面図である。なお、第１実施形態と同一部分は同一符号を付して説明を省略する。第１実施形態に対して第２実施形態は循環ダクト５０に除湿部５４の上流側及び下流側を開閉するシャッタ５８が設けられている。乾燥状態検知期間ではシャッタ５８を閉じるとともに、モータ４１を駆動しながら、加熱部５３及び除湿部５４を停止する。また、送風ファン５２も停止し、温湿度検知部７６が循環ダクト５０内の絶対湿度を検知する。
【００４７】
本実施形態によると、乾燥状態検知期間において回転槽３０の回転により、回転槽３０内の空気を循環ダクト５０内に流入するが循環ダクト５０内の空気はシャッタ５８により除湿部５４から遮断される。このため、乾燥状態検知期間において循環ダクト５０内に流入した空気が除湿部５４に残存する水分により加湿されるのをより防ぐことができる。従って、温湿度検知部７６によってより正確かつ早く絶対湿度の変化を検知することができる。
【００４８】
［第３実施形態］
図５は第３実施形態に係る洗濯乾燥機１を循環する空気の流れを模式的に示す断面図である。なお、第１実施形態と同一部分は同一符号を付して説明を省略する。第１実施形態に対して第３実施形態は循環ダクト５０に除湿部５４の上流側と加熱部５３の下流側とをバイパスするバイパス通路５９が設けられている。バイパス通路５９の両端にはバイパス開閉部材５９ａが設けられ、バイパス通路５９と循環ダクト５０はバイパス開閉部材５９ａによって択一的に開閉される。乾燥状態検知期間においてバイパス開閉部材５９ａにより、バイパス通路５９の下流端と加熱部５３との間及びバイパス通路５９の上流端と除湿部５４との間が閉じられる。
【００４９】
本実施形態によると、乾燥状態検知期間において循環ダクト５０内を流通する空気は除湿部５４から遮断され、バイパス通路５９を介して循環ダクト５０内を循環する。このため、乾燥状態検知期間において循環ダクト内に流通した空気が除湿部５４に残存する水分により加湿されるのを防ぐことができる。従って、温湿度検知部７６によってより正確に絶対湿度の変化を検知することができる。
【産業上の利用可能性】
【００５０】
本発明は洗濯乾燥機に広く利用可能である。
【符号の説明】
【００５１】
１    洗濯乾燥機
１０    外箱
１１    上面パネル
１１ａ  出入口
１５ａ  外扉
１５ｂ  内扉
２０    水槽
３０    回転槽
３４    軸部
４１    モータ
５０    循環ダクト
５０ａ  吸気口
５０ｂ  排気口
５２    送風ファン
５３    加熱部
５４    除湿部
５５    圧縮機
５６    膨張器
５７    冷凍サイクル
５８    シャッタ
５９    バイパス通路
５９ａ  バイパス開閉部材
６１    吸気口開閉部材
６２    排気口開閉部材
６３    排水弁
７０    制御部
７１    操作部
７３    扉開閉センサ
７４    水位センサ
７５    温度検知部
７６    温湿度検知部
７７    洗濯用給水弁
７８    布量検知部
８０    洗濯物
９０    ヒートポンプ
【図１】
2013212307.tif 000003
【図２】
2013212307.tif 000004
【図３】
2013212307.tif 000005
【図４】
2013212307.tif 000006
【図５】
2013212307.tif 000007